(57)【要約】      （修正有）【課題】衣服の両肩部分を掛ける竿部分の長さがパッドに比べて相当に長い場合でも、該パッドを伸長させて装着することができるハンガー用パッドを提供する。【解決手段】パッド１は、平たいポリウレタンフォーム製のシート状物から製造されたものである。シート状物には、ハンガー１０の吊支部１１を通すための開口３と、多数のスリット４とが設けられている。シート状物を二ツ折りし、長手方向の両端を熱融着した後、反転させてパッド１とする。【選択図】図４
2009178246.tif 000002
【特許請求の範囲】
【請求項１】
ハンガーの長手方向に延在するようにハンガーに装着される、軟質合成樹脂フォームよりなるハンガー用パッドにおいて、
該ハンガー用パッドのハンガー長手方向への引き伸し長さを増大させるためのスリット又は開口を設けたことを特徴とするハンガー用パッド。
【請求項２】
請求項１において、該スリット又は開口は、該パッドの短手方向に延在していることを特徴とするハンガー用パッド。
【請求項３】
請求項２において、前記スリット又は開口が、前記長手方向及び短手方向にそれぞれ間隔をあけて複数個設けられていることを特徴とするハンガー用パッド。
【請求項４】
請求項３において、前記短手方向に隣り合うスリット又は開口は、ハンガー用パッドの長手方向の位置がずれていることを特徴とするハンガー用パッド。
【請求項５】
請求項１ないし４のいずれか１項において、該ハンガー用パッドは、ハンガー長手方向に長いシート状物を、ハンガー長手方向に沿う中心線に沿って二ツ折りして該ハンガー長手方向に延在した２枚重ね体とし、この２枚重ね体の長手方向両端の短辺部同士を結合したものであることを特徴とするハンガー用パッド。
【請求項６】
請求項５において、該ハンガー用パッドは、前記短辺部同士を結合した後、表裏反転させたものであることを特徴とするハンガー用パッド。
【請求項７】
請求項５又は６において、該ハンガー用パッドの前記短辺部同士は熱融着により結合されていることを特徴とするハンガー用パッド。
【請求項８】
請求項７において、前記軟質合成樹脂フォームはポリウレタンフォームであることを特徴とするハンガー用パッド。
【発明の詳細な説明】
【技術分野】
【０００１】
本発明は、衣服用ハンガーに衣服の形くずれや、ずり落ちを防止するために、ハンガーの衣服掛け部に装着されるハンガー用パッドに関する。
【背景技術】
【０００２】
衣服を掛けるハンガーとしては、プラスチック（合成樹脂）製、木製、金属製等の様々なものが用いられている。このうち、特にプラスチック製のハンガーは、一体成形により安価に製造することができる上に、軽量で錆びや吸湿による劣化の問題もないことから、一般家庭はもとより、衣料品店や衣服製造工場などで広く採用されている。
【０００３】
プラスチック製等のハンガーに、衣服の形くずれやずり落ちを防止するために、ハンガーの衣服掛け部分に、ポリウレタンフォーム等の軟質合成樹脂フォームよりなるパッドが装着されることがある（例えば、実開昭６１−１９９２８６号公報）。
【特許文献１】実開昭６１−１９９２８６号公報
【発明の開示】
【発明が解決しようとする課題】
【０００４】
ハンガー用パッドは、ハンガーの大きさに対応した寸法である必要がある。
【０００５】
一方で、ハンガーには、用途別に多種多様の大きさ、形状のものが製造されている。即ち、大人用衣服のハンガーと子供服用ハンガーやベビー服用ハンガーとでは、その寸法は大きく異なり、また、大人用であっても男性用と女性用とでは、寸法が異なるものとなる。また、衣服の種類によっても、ハンガーの寸法や形状（肩部分の張り出し角度など）が異なるものとなる。
【０００６】
ポリウレタンフォーム等の軟質合成樹脂フォーム製パッドは、長手方向に弾性的に伸長させることができ、ある程度寸法の大きいハンガーに対しても装着することができる。しかしながら、その伸び率は高々２０％程度であり、パッドよりもかなり長さの大きいハンガーには装着できない。
【０００７】
本発明は上記従来の問題点を解決し、衣服の両肩部分を掛ける竿部分の長さがパッドに比べて相当に長い場合でも、該パッドを伸長させて装着することができるハンガー用パッドを提供することを目的とする。
【課題を解決するための手段】
【０００８】
請求項１のハンガー用パッドは、ハンガーの長手方向に延在するようにハンガーに装着される、軟質合成樹脂フォームよりなるハンガー用パッドにおいて、該ハンガー用パッドのハンガー長手方向への引き伸し長さを増大させるためのスリット又は開口を設けたことを特徴とするものである。
【０００９】
請求項２のハンガー用パッドは、請求項１において、該スリット又は開口は、該パッドの短手方向に延在していることを特徴とするものである。
【００１０】
請求項３のハンガー用パッドは、請求項２において、前記スリット又は開口が、前記長手方向及び短手方向にそれぞれ間隔をあけて複数個設けられていることを特徴とするものである。
【００１１】
請求項４のハンガー用パッドは、請求項３において、前記短手方向に隣り合うスリット又は開口は、ハンガー用パッドの長手方向の位置がずれていることを特徴とするものである。
【００１２】
請求項５のハンガー用パッドは、請求項１ないし４のいずれか１項において、該ハンガー用パッドは、ハンガー長手方向に長いシート状物を、ハンガー長手方向に沿う中心線に沿って二ツ折りして該ハンガー長手方向に延在した２枚重ね体とし、この２枚重ね体の長手方向両端の短辺部同士を結合したものであることを特徴とするものである。
【００１３】
請求項６のハンガー用パッドは、請求項５において、該ハンガー用パッドは、前記短辺部同士を結合した後、表裏反転させたものであることを特徴とするものである。
【００１４】
請求項７のハンガー用パッドは、請求項５又は６において、該ハンガー用パッドの前記短辺部同士は熱融着により結合されていることを特徴とするものである。
【００１５】
請求項８のハンガー用パッドは、請求項７において、前記軟質合成樹脂フォームはポリウレタンフォームであることを特徴とするものである。
【発明の効果】
【００１６】
軟質合成樹脂フォーム製のハンガー用パッドにスリットや開口を設けると、パッドを引っ張った際にこの部分が伸びることにより、パッドの伸び率を大きくすることができる。従って、竿部分の長さがパッドの非伸長時の長さよりも相当に大きいハンガーに対しても本発明のパッドを装着することができる。
【００１７】
請求項２，３のように複数のスリット又は開口を設けることにより、パッドの伸長率を大きくすることができる。
【００１８】
請求項４のパッドにあっては、多数のスリット又は開口を設けたパッドを長手方向に伸長させたときに、短手方向に隣接するスリット又は開口同士が繋がるように裂け目が生じることが防止される。
【００１９】
請求項５〜７のパッドは、その下辺側が開放しているので、ハンガーに対し装着し易い。なお、請求項６のパッドにあっては、結合部分がパッドの裏側（内側）に隠れるので、見栄えが良好となる。
【発明を実施するための最良の形態】
【００２０】
以下図面を参照して実施の形態について説明する。
【００２１】
第１図は実施の形態に係るパッドの素材であるシート状物の平面図、第２図及び第３図はパッドの製造途中の正面図、第４図はパッドの装着方法を示す正面図、第５図はパッドを装着したハンガーの正面図である。
【００２２】
このパッド１は、第１図に示す平たいポリウレタンフォーム製のシート状物２から製造されたものである。このシート状物２は、厚さが３〜１０ｍｍ程度で密度が１４〜４０ｋｇ／ｍ３の軟質ポリウレタンフォームよりなる。好ましくはポリウレタンフォームはスラブよりなるスラブを打ち抜いてシート状物２を形成すると共に、この打ち抜きに際し、後述の開口３及びスリット４を併せて打ち抜くのが好ましい。
【００２３】
このシート状物２は、ハンガー１０の長手方向に沿うように延在した略々長方形状である。なお、長手方向の両端側の短辺２ａは、その途中部分がシート状物２の中央側へ略く字形に入り込むように屈曲している。シート状物２の長手方向の長さは２００〜５００ｍｍ特に３００〜４００ｍｍ程度が好適である。二ツ折りする前のシート状物２の短手方向の幅は６０〜２００ｍｍ特に９０〜１６０ｍｍ程度が好適である。
【００２４】
シート状物２には、ハンガー１０の吊支部１１を通すための開口３と、多数のスリット４とが設けられている。開口３は、シート状物２の中央部をシート状物２の長手方向に延在した長孔よりなる。開口３の長手方向の長さは３０〜１２０ｍｍ特に４０〜９０ｍｍ程度が好適であるが、これに限定されるものではない。
【００２５】
開口３の幅は０〜３０ｍｍ特に５〜１５ｍｍ程度が好適であるが、これに限定されるものではない。
【００２６】
スリット４は、この実施の形態ではシート状物２の短手方向に延在している。スリット４は、シート状物２の長手方向に５〜２０ｍｍ程度の間隔をおいて配列されている。この実施の形態では、スリット４が５列設けられている。第１列目及び第５列目のスリット４は、シート状物２の長辺に沿って配置されている。第３列目のスリット４は、シート状物２の短手幅方向の中央に配置されている。
【００２７】
第１列目、第３列目、及び第５列目のスリット４同士の中間に第２列目及び第４列目のスリット４が位置している。すなわち、隣り合う列のスリットは、シート状物２の長手方向における位置がずれている。
【００２８】
１個のスリット４の長さは５〜２０ｍｍ程度が好適である。第１図の左半側及び右半側において、それぞれ、第１，２，４，５列では、スリットは９本設けられ第３列では８本設けられているが、特にこの本数に限定されるものではなく、５〜１５本程度であれば十分である。列の数も５列に限定されるものではなく、３〜７列程度であれば十分である。
【００２９】
このシート状物２からパッド１を製作するには、このシート状物２の短手方向の中央を長手方向に伸びる直線に沿って、該シート状物２を二ツ折りし、第２図に示す２枚重ね体とする。そして、この２枚重ね体の長手方向の両端において、短辺２ａに沿う領域同士を熱融着、接着などによって結合する。なお、シート状物が熱可塑性樹脂フォームである場合には、接着剤が不要な熱融着によるのが好ましい。符号５は、この熱融着した領域を示している。
【００３０】
次いで、第３図の通り、この２枚重ね体を反転させてパッド１とする。これにより、熱融着領域５がパッド１の内部側に隠れ、見栄えが良くなる。
【００３１】
このように構成されたパッド１をハンガー１０に掛けるには、第４図及び第５図のように開口３にハンガー１０の吊支部１１を通しつつ、パッド１を長手方向に引張って伸長させ、竿部分１２，１２に被せ、両端を竿部分１２，１２の両端に掛ける。
【００３２】
このパッド１は、多数のスリット４を有しているので、その長手方向に柔軟に伸長する。この伸長により、パッド１のスリット４は目幅をパッド１の長手方向に拡張させ、略楕円形の開口となる。
【００３３】
このようにパッド１を装着したハンガー１０は、衣服が滑落せず、使い勝手が良い。
【００３４】
このパッド１では、一文字形のスリット４を設けているが、円形や楕円形などの開口であってもよい。
【図面の簡単な説明】
【００３５】
【図１】実施の形態に係るパッドの素材であるシート状物の平面図である。
【図２】パッドの製造途中の正面図である。
【図３】パッドの製造途中の正面図である。
【図４】パッドの装着方法を示す正面図である。
【図５】パッドを装着したハンガーの正面図である。
【符号の説明】
【００３６】
１  パッド
２  シート状物
３  開口
４  スリット
１０  ハンガー
１１  吊支部
１２  竿部分
【図１】
2009178246.tif 000003
【図２】
2009178246.tif 000004
【図３】
2009178246.tif 000005
【図４】
2009178246.tif 000006
【図５】
2009178246.tif 000007